(57)【特許請求の範囲】
【請求項１】
絶縁基板と、その一方の面を覆うように設けられた導電層と、を備える導電層付き基板と、
前記絶縁基板の他方の面に接するように前記導電層付き基板に積層された光導波路層であって、周りを余白部で取り囲まれた、光信号を伝送し得る光回路と、前記光回路から分離するように前記光回路と同一工程で形成された２つ以上の光導波路が交差部において互いに交差してなり、光信号とアライメント用の光とを伝送し得る光導波路パターンと、前記交差部に設けられたミラーと、を備える光導波路層と、
を有し、
前記光導波路は、前記余白部において、前記光導波路層の外縁と平行になるよう、かつ、両端部が前記光導波路層の端面の異なる位置に露出するよう配設されており、
前記光導波路パターンは、前記光導波路の１つの端部に光が入射されたとき、複数の端部から光が出射するよう構成されていることを特徴とする光導波路構造体。
【請求項２】
前記光導波路は、前記光回路の周りを囲うよう配設されている請求項１に記載の光導波路構造体。
【請求項３】
前記光導波路パターンは、前記光導波路の１つの端部に光が入射されたとき、前記光導波路層の隣り合う２つの端面にそれぞれ露出した前記端部から光が出射するよう構成されている請求項１または２に記載の光導波路構造体。
【請求項４】
前記光導波路パターンは、前記光導波路の１つの端部に光が入射されたとき、３つ以上の端部から光が出射するよう構成されている請求項１ないし３のいずれか１項に記載の光導波路構造体。
【請求項５】
請求項１ないし４のいずれか１項に記載の光導波路構造体を有し、前記導電層にパターニングが施されて電気回路が形成されていることを特徴とする光電気混載基板。
【請求項６】
請求項１ないし４のいずれか１項に記載の光導波路構造体中の前記光導波路の１つの端部に光を入射する工程と、
前記複数の端部から出射した光の出射位置に基づいて、前記導電層にパターニングをする際の位置合わせを行うとともにパターニングを施して前記導電層に電気回路を形成する工程と、
を有することを特徴とする光電気混載基板の製造方法。
【請求項７】
請求項５に記載の光電気混載基板を備えることを特徴とする電子機器。
【発明の詳細な説明】
【技術分野】
【０００１】
本発明は、光導波路構造体、光電気混載基板の製造方法、光電気混載基板および電子機器に関するものである。
【背景技術】
【０００２】
近年、情報化の波とともに、大容量の情報を高速でやりとりできる広帯域回線（ブロードバンド）の普及が進んでいる。また、これらの広帯域回線に情報を伝送する装置として、ルータ装置、ＷＤＭ(Wavelength Division Multiplexing)装置等の伝送装置が用いられている。これらの伝送装置内には、ＬＳＩのような演算素子、メモリーのような記憶素子等が組み合わされた信号処理基板が多数設置されており、各回線の相互接続を担っている。
【０００３】
各信号処理基板には、演算素子や記憶素子等が電気配線で接続された回路が構築されているが、近年、処理する情報量の増大に伴って、各基板では、極めて高いスループットで情報を伝送することが要求されている。しかしながら、情報伝送の高速化に伴い、クロストークや高周波ノイズの発生、電気信号の劣化、特性インピーダンスの不整合等の問題が顕在化しつつある。このため、電気配線がボトルネックとなって、信号処理基板のスループットの向上が困難になっている。
【０００４】
一方、光搬送波を使用してデータを移送する光通信技術が開発され、近年、この光搬送波を、一地点から他地点に導くための手段として、光導波路が普及しつつある。この光導波路は、線状のコア部と、その周囲を覆うように設けられたクラッド部とを有している。コア部は、光搬送波の光に対して実質的に透明な材料によって構成され、クラッド部は、コア部より屈折率が低い材料によって構成されている。
【０００５】
このような光導波路では、コア部の一端から導入された光が、クラッド部との境界で反射しながら他端に搬送される。光導波路の入射側には、半導体レーザー等の発光素子が配置され、出射側には、フォトダイオード等の受光素子が配置される。発光素子から入射された光は光導波路を伝搬し、受光素子により受光され、受光した光の明滅パターンに基づいて通信を行う。
【０００６】
最近になって、信号処理基板内の電気配線を光導波路で置き換える動きが進んでいる。電気配線を光導波路で置き換えることにより、前述したような電気配線の問題が解消され、信号処理基板のさらなる高スループット化が可能になると期待されている。
【０００７】
ところが、演算素子や記憶素子はもちろん、光信号と電気信号の相互変換を担う発光素子や受光素子のような各素子の駆動には電力を供給するための電気配線が不可欠である。このため信号処理基板には、電気配線と光導波路とが混載されることとなり、このような基板（光電気混載基板）の開発が進められている。
【０００８】
このような光電気混載基板を製造する際には、発光素子の発光部や受光素子の受光部と、光導波路との位置を正確に合わせる必要がある。
【０００９】
かかる要求を満たすため、特許文献１には、複数の光導波路層と、支持基板とを積層して光電気複合配線基板を製造する際に、光導波路層と支持基板の双方に位置合わせ穴を設け、この位置合わせ穴にガイドピンを嵌合させることにより、双方の位置を合わせる方法が開示されている。
【００１０】
この方法では、光導波路層と支持基板の双方に設ける位置合わせ穴の寸法精度が、位置合わせの精度に直接影響を及ぼす。しかしながら、位置合わせ穴の加工精度には限界があるため、双方の位置を正確に合わせることは困難である。また、製造時の加工工数の増加を招くことから、製造効率の低下も避けられない。
【００１１】
一方、特許文献２には、電気回路が形成された電気回路基板に光回路層を形成することにより、光電複合基板を製造する方法が開示されている。この方法は、あらかじめ一方の面に電気回路と基準マークとが形成された電気回路基板を用意し、基準マークの位置を光学顕微鏡を用いて観察しつつ、電気回路基板の他方の面に光回路層を形成して、光電複合基板とするものである。
【００１２】
しかしながら、この方法では、光回路の形成に際し、フォトリソグラフィー処理やエッチング処理がなされることから、電気回路基板にあらかじめ設けられた電気回路がこれらの処理によって損傷を受けるおそれがある。このため、電気回路が断線するなどして、不良品の発生を招く。
【００１３】
また、この方法によれば、光回路層の形成に先立って、あらかじめ電気回路基板を用意する必要がある。このため、製造工程の自由度が大きく制限されることとなる。具体的には、電気回路基板の製造や、光回路層の製造においては、それぞれ業界が異なることから、同一の製造者が双方を製造することは一般的でない。そこで、別々の製造者が製造する場合には、先に電気回路基板の製造者が電気回路基板を製造し、その後、光回路層の製造者により、電気回路基板に光回路層を形成する必要が生じる。このように、特許文献２の方法では、製造順序が自ずと決まってしまうため、製造工程の自由度が制限される。
【先行技術文献】
【特許文献】
【００１４】
【特許文献１】特開２００５−１１５１９０号公報
【特許文献２】特開２００８−１５８２２１号公報
【発明の概要】
【発明が解決しようとする課題】
【００１５】
本発明の目的は、電気回路に対して高い位置精度で光回路を積層可能な光導波路構造体、かかる光導波路構造体を用いて、製造工程の自由度を損なうことなく、電気回路と光回路とを正確に接続可能な光電気混載基板の製造方法、かかる製造方法により製造された光電気混載基板、およびかかる光電気混載基板を備える電子機器を提供することにある。
【課題を解決するための手段】
【００１６】
このような目的は、下記（１）〜（７）の本発明により達成される。
（１）  絶縁基板と、その一方の面を覆うように設けられた導電層と、を備える導電層付き基板と、
前記絶縁基板の他方の面に接するように前記導電層付き基板に積層された光導波路層であって、周りを余白部で取り囲まれた、光信号を伝送し得る光回路と、前記光回路から分離するように前記光回路と同一工程で形成された２つ以上の光導波路が交差部において互いに交差してなり、光信号とアライメント用の光とを伝送し得る光導波路パターンと、前記交差部に設けられたミラーと、を備える光導波路層と、
を有し、
前記光導波路は、前記余白部において、前記光導波路層の外縁と平行になるよう、かつ、両端部が前記光導波路層の端面の異なる位置に露出するよう配設されており、
前記光導波路パターンは、前記光導波路の１つの端部に光が入射されたとき、複数の端部から光が出射するよう構成されていることを特徴とする光導波路構造体。
【００１７】
（２）  前記光導波路は、前記光回路の周りを囲うよう配設されている上記（１）に記載の光導波路構造体。
【００１９】
（３）  前記光導波路パターンは、前記光導波路の１つの端部に光が入射されたとき、前記光導波路層の隣り合う２つの端面にそれぞれ露出した前記端部から光が出射するよう構成されている上記（１）または（２）に記載の光導波路構造体。
【００２０】
（４）  前記光導波路パターンは、前記光導波路の１つの端部に光が入射されたとき、３つ以上の端部から光が出射するよう構成されている上記（１）ないし（３）のいずれかに記載の光導波路構造体。
【００２１】
（５）  上記（１）ないし（４）のいずれかに記載の光導波路構造体を有し、前記導電層にパターニングが施されて電気回路が形成されていることを特徴とする光電気混載基板。
【００２８】
（６）  上記（１）ないし（４）のいずれかに記載の光導波路構造体中の前記光導波路の１つの端部に光を入射する工程と、
前記複数の端部から出射した光の出射位置に基づいて、前記導電層にパターニングをする際の位置合わせを行うとともにパターニングを施して前記導電層に電気回路を形成する工程と、
を有することを特徴とする光電気混載基板の製造方法。
【００３０】
（７）  上記（５）に記載の光電気混載基板を備えることを特徴とする電子機器。
【発明の効果】
【００３１】
本発明によれば、光導波路層中の光導波路に光を入射し、出射した光の出射位置を基準として導電層をパターニングする際の位置合わせを行うことができる光導波路構造体が得られる。この光導波路構造体によれば、導電層のパターニングにより形成される電気回路に対して高い位置精度で位置合わせされた光回路を備える光電気混載基板が得られる。
【００３２】
また、光回路を備える光導波路層と、電気回路を備える電気回路基板とを、別々に製造した後、これらを積層して光電気混載基板を得ることができるので、従来のように製造順序に制限を設ける必要がなく、光電気混載基板の製造方法において製造工程の自由度を高めることができる。
【００３３】
また、上記の光電気混載基板の製造方法を用いることにより、光回路と電気回路との結合損を抑制することができるので、高品質の通信が可能な信頼性の高い光電気混載基板および電子機器が得られる。
【図面の簡単な説明】
【００３４】
【図１】本発明の光導波路層の第１実施形態を示す（一部切り欠いて、および透過して示す）斜視図である。
【図２】本発明の光導波路層の第１実施形態を示す平面図である。
【図３】本発明の光電気混載基板の製造方法の第１実施形態を説明するための側面図である。
【図４】本発明の光電気混載基板の製造方法の第１実施形態を説明するための斜視図である。
【図５】図２に示す本発明の光導波路層の他の構成例を示す図である。
【図６】図２に示す本発明の光導波路層の他の構成例を示す図である。
【図７】図５に示すミラーの他の構成例を示す図である。
【図８】本発明の光電気混載基板の製造方法の第２実施形態を説明するための側面図である。
【発明を実施するための形態】
【００３５】
以下、本発明の光導波路層、光導波路構造体、光電気混載基板の製造方法、光電気混載基板および電子機器について添付図面に示す好適実施形態に基づいて詳細に説明する。
【００３６】
［光電気混載基板の製造方法］
＜第１実施形態＞
まず、本発明の光電気混載基板の製造方法の第１実施形態について説明する。
【００３７】
図１は、本発明の光導波路層の第１実施形態を示す（一部切り欠いて、および透過して示す）斜視図、図２は、本発明の光導波路層の第１実施形態を示す平面図、図３は、本発明の光電気混載基板の製造方法の第１実施形態を説明するための側面図、図４は、本発明の光電気混載基板の製造方法の第１実施形態を説明するための斜視図である。なお、以下の説明では、図２、３中の上方を「上」、下方を「下」、右方を「右」、左方を「左」と言う。
【００３８】
図１に示す光導波路フィルム（本発明の光導波路層）１０は、クラッド層１１（クラッド部）、コア層１３およびクラッド層１２（クラッド部）をこの順に積層してなるものである。
【００３９】
また、コア層１３は、図２に示すように、平面視において光回路１３０が設けられた光回路形成領域１３１と、これらの光回路形成領域１３１を囲うように設けられた枠状の余白部１３２とに分けられる。そして、この余白部１３２には、光導波路フィルム１０の外縁に平行な線状のアライメント用光導波路パターン（光導波路）１３３が配設されている。
【００４０】
このような光回路１３０およびアライメント用光導波路パターン１３３は、その周囲の部分に比べて屈折率が高くなっている。すなわち、コア層１３は、光回路１３０およびアライメント用光導波路パターン１３３を構成するコア部と、コア部の側面に隣接し、コア部よりも屈折率の低い側面クラッド部とを備えている。
【００４１】
光回路１３０は、並列する複数の直線状のコア部からなるものである。
このような光回路１３０を備える光導波路フィルム１０は、図３に示すように、電気回路２１０が形成された電気回路基板２０と積層することにより、光回路１３０と電気回路２１０とを正確に積層し、光電気混載基板を製造する際に用いられるものである。電気回路基板２０には、電気信号を光信号に変換する発光素子や、光信号を電気信号に変換する受光素子が設けられるため、これらを用いることで、光回路１３０を伝搬する光信号と、電気回路２１０を伝搬する電気信号とを高い効率で変換することができる。
【００４２】
また、このような光導波路フィルム１０は、前述したアライメント用光導波路パターン１３３を備えているが、このアライメント用光導波路パターン１３３は、その両端部が光導波路フィルム１０の端面に露出している。このため、アライメント用光導波路パターン１３３の一方の端部に光を入射し、他方の端部から出射した光の出射位置を検出することで、たとえ光導波路フィルム１０と電気回路基板２０とを重ね合わせた状態で光回路１３０の位置が目視できない場合であっても、アライメント用光導波路パターン１３３の位置を特定することができる。すなわち、光導波路フィルム１０と電気回路基板２０とを積層する際に、位置合わせの精度を高めることができる。このようにして、光導波路フィルム１０（本発明の光導波路層）は、電気回路基板２０に対して正確な積層を可能にするものであり、光回路１３０と電気回路２１０との結合を高精度に行うことができる。このため、光信号と電気信号との相互変換において発生する損失を抑制し、信頼性の高い光電気混載基板１００（本発明の光電気混載基板）の製造を可能にする。
【００４３】
以下、このような光電気混載基板の製造方法を説明する。
本実施形態の光電気混載基板の製造方法は、光回路１３０を備える光導波路フィルム１０と、電気回路２１０を備える電気回路基板２０とを用意する第１の工程と、光導波路フィルム１０と電気回路基板２０とを重ね合わせた状態で、アライメント用光導波路パターン１３３の一方の端部に光を入射し、他方の端部から出射した光の出射位置を検出し、これに基づいて光導波路フィルム１０と電気回路基板２０との位置を合わせる第２の工程と、光導波路フィルム１０と電気回路基板２０とを接着して光電気混載基板１００を得る第３の工程とを有する。
【００４４】
以下、各工程について順次説明する。
［１］まず、光回路１３０を備える光導波路フィルム（本発明の光導波路層）１０と、電気回路２１０を備える電気回路基板２０とを用意する（第１の工程）。
【００４５】
以下、光導波路フィルム１０と電気回路基板２０とを順次説明する。
（光導波路フィルム）
図２に示す光導波路フィルム１０は、平面視で正方形をなしており、前述したように、光回路１３０が設けられた光回路形成領域１３１と、アライメント用光導波路パターン１３３が設けられた枠状の余白部１３２とを有する。
【００４６】
光回路１３０は、１２本の直線状のコア部で構成されている。これらのコア部は、互いに平行に配設されている。
【００４７】
また、各コア部の両端部には、図３に示すように、各コア部の光軸およびコア層１３の形成面に対して４５°の角度で横切るように形成されたミラー１３０ａが設けられている。このミラー１３０ａにより、ミラー１３０ａに入射した光は、その進行方向が４５°変更される。その結果、光導波路フィルム１０と電気回路基板２０とを積層した際には、光回路１３０を伝搬する光信号の進行方向を、電気回路基板２０側に変更し、例えば受光素子に受光させることができる。
【００４８】
一方、アライメント用光導波路パターン１３３は、光回路１３０と分離して設けられている。このアライメント用光導波路パターン１３３は、４本の直線状のコア部で構成されており、光導波路フィルム１０の各辺に対して平行に配設されている。
【００４９】
具体的には、図２に示すアライメント用光導波路パターン１３３は、光導波路フィルム１０の上端近傍に設けられたアライメント用光導波路パターン１３３１と、右端近傍に設けられたアライメント用光導波路パターン１３３２と、下端近傍に設けられたアライメント用光導波路パターン１３３３と、左端近傍に設けられたアライメント用光導波路パターン１３３４とに分けられる。なお、図２では、光回路１３０を構成するコア部およびアライメント用光導波路パターン１３３を構成するコア部に、ドットを付している。
【００５０】
また、これらのアライメント用光導波路パターン１３３は、光導波路フィルム１０の各角部近傍において直交している。
【００５１】
図２では、各アライメント用光導波路パターン１３３は、それぞれ、光導波路フィルム１０の左上に位置する交差部１３３１ｃ、右上に位置する交差部１３３２ｃ、右下に位置する交差部１３３３ｃ、左下に位置する交差部１３３４ｃにおいて交差している。
【００５２】
また、各アライメント用光導波路パターン１３３は、前述したように、その両端部が光導波路フィルム１０の端面に露出している。これにより、各アライメント用光導波路パターン１３３に入射された光は、出射端側から受光することができる。
【００５３】
このような光回路１３０およびアライメント用光導波路パターン１３３を含むコア層１３においては、光回路１３０とアライメント用光導波路パターン１３３との位置関係があらかじめ把握されていることが必要である。この位置関係が確立されていることを前提として、アライメント用光導波路パターン１３３を、光回路１３０の位置合わせをする際の基準として利用することが可能になる。
【００５４】
すなわち、コア層１３は、光回路１３０とアライメント用光導波路パターン１３３の位置が、所定の位置関係になるよう製造されている。
【００５５】
以下、コア層１３の製造方法および光導波路フィルム１０の製造方法について説明する。
【００５６】
光回路１３０やアライメント用光導波路パターン１３３を構成するコア部は、入射された光を、コア部に隣接するクラッド部（クラッド層１１、クラッド層１２および側面クラッド部）との界面で全反射させ、出射側に伝搬させる。これにより、出射端側で受光した光の明滅パターンに基づいて光通信を行うことができる。
【００５７】
コア部とクラッド部との界面で全反射を生じさせるためには、界面に屈折率差が存在する必要がある。コア部の屈折率は、クラッド部の屈折率より高く、その差は、特に限定されないものの、０．５％以上であるのが好ましく、０．８％以上であるのがより好ましい。なお、屈折率差の上限値は、特に設定されなくてもよいが、好ましくは５．５％程度とされる。屈折率差が前記下限値未満であると光を伝搬する効果が低下する場合があり、また、前記上限値を超えても、光の伝搬効果のそれ以上の増大は期待できない。
【００５８】
なお、前記屈折率差とは、コア部の屈折率をＡ、クラッド部の屈折率をＢとしたとき、次式で表わされる。
屈折率差（％）＝｜Ａ／Ｂ−１｜×１００
【００５９】
また、図１および図２に示す構成では、光回路１３０やアライメント用光導波路パターン１３３を構成するコア部は、平面視で直線状に形成されているが、途中で湾曲、分岐等してもよく、その形状は任意である。
【００６０】
また、図１に示すコア部は、その横断面形状が正方形または矩形（長方形）のような四角形をなしているが、その形状も特に限定されない。
【００６１】
コア部の幅および高さは、特に限定されないが、それぞれ、１〜２００μｍ程度であるのが好ましく、５〜１００μｍ程度であるのがより好ましく、１０〜６０μｍ程度であるのがさらに好ましい。
【００６２】
このようなコア部およびクラッド部の各構成材料は、それぞれ上記の屈折率差が生じる材料であれば特に限定されないが、具体的には、アクリル系樹脂、メタクリル系樹脂、ポリカーボネート、ポリスチレン、エポキシ樹脂、ポリアミド、ポリイミド、ポリベンゾオキサゾール、ポリシラン、ポリシラザン、また、ベンゾシクロブテン系樹脂やノルボルネン系樹脂等の環状オレフィン系樹脂のような各種樹脂材料の他、石英ガラス、ホウケイ酸ガラスのようなガラス材料等を用いることができる。
【００６３】
また、コア部およびクラッド部が同一の材料で構成されており、コア部とクラッド部との屈折率差を、それぞれの構成材料の化学構造の差異により発現させるようにしてもよい。
【００６４】
化学構造の差異により屈折率差を発現させるためには、コア部およびクラッド部の各構成材料として、紫外線、電子線のような活性エネルギー線の照射により（あるいはさらに加熱することにより）屈折率が変化する材料を用いるのが好ましい。
【００６５】
このように屈折率が変化する材料としては、例えば、活性エネルギー線の照射や加熱により、少なくとも一部の結合が切断したり、少なくとも一部の官能基が脱離する等して、化学構造が変化し得る材料が挙げられる。
【００６６】
具体的には、ポリシラン（例：ポリメチルフェニルシラン）、ポリシラザン（例：ペルヒドロポリシラザン）等のシラン系樹脂や、前述したような構造変化を伴う材料のベースとなる樹脂としては、分子の側鎖または末端に官能基を有する以下の（１）〜（６）のような樹脂が挙げられる。（１）ノルボルネン型モノマーを付加（共）重合して得られるノルボルネン型モノマーの付加（共）重合体、（２）ノルボルネン型モノマーとエチレンやα−オレフィン類との付加共重合体、（３）ノルボルネン型モノマーと非共役ジエン、および必要に応じて他のモノマーとの付加共重合体、（４）ノルボルネン型モノマーの開環（共）重合体、および必要に応じて該（共）重合体を水素添加した樹脂、（５）ノルボルネン型モノマーとエチレンやα−オレフィン類との開環共重合体、および必要に応じて該（共）重合体を水素添加した樹脂、（６）ノルボルネン型モノマーと非共役ジエン、または他のモノマーとの開環共重合体、および必要に応じて該（共）重合体を水素添加した樹脂等のノルボルネン系樹脂、その他、光硬化反応性モノマーを重合することにより得られるアクリル系樹脂、エポキシ樹脂。
【００６７】
なお、これらの中でも特にノルボルネン系樹脂が好ましい。これらのノルボルネン系ポリマーは、例えば、開環メタセシス重合（ＲＯＭＰ）、ＲＯＭＰと水素化反応との組み合わせ、ラジカルまたはカチオンによる重合、カチオン性パラジウム重合開始剤を用いた重合、これ以外の重合開始剤（例えば、ニッケルや他の遷移金属の重合開始剤）を用いた重合等、公知のすべての重合方法で得ることができる。
【００６８】
例えば、比較的低い屈折率を有するノルボルネン系ポリマーとしては、末端にエポキシ構造を含む置換基を有するノルボルネンの繰り返し単位を含むものが好ましい。かかるノルボルネン系ポリマーは、特に低い屈折率を有するとともに、密着性が良好である。
【００６９】
また、ノルボルネン系ポリマーは、アルキルノルボルネンの繰り返し単位を含むものが好ましい。アルキルノルボルネンの繰り返し単位を含むノルボルネン系ポリマーは、柔軟性が高いため、かかるノルボルネン系ポリマーを用いることにより、光導波路フィルム１０に高いフレキシビリティ（可撓性）を付与することができる。
【００７０】
アルキルノルボルネンの繰り返し単位が有するアルキル基としては、例えば、プロピル基、ブチル基、ペンチル基、ヘキシル基、ヘプチル基、オクチル基、ノニル基、デシル基等が挙げられるが、ヘキシル基が特に好ましい。なお、これらのアルキル基は、直鎖状または分岐状のいずれであってもよい。
【００７１】
ヘキシルノルボルネンの繰り返し単位を含むことにより、ノルボルネン系ポリマー全体の屈折率が上昇するのを防止することができる。また、ヘキシルノルボルネンの繰り返し単位を有するノルボルネン系ポリマーは、特に、８５０ｎｍ付近を中心とする波長領域の光に対する透過率が優れることから、例えば６００〜１５５０ｎｍ程度の波長領域の光を使用したデータ通信において好適に用いられる。
【００７２】
以上のように、コア層１３を製造する場合、化学構造の差異により屈折率差を発現させる材料を成膜した後、コア部となる領域またはクラッド部となる領域に活性エネルギー線を照射して、コア部およびクラッド部を形成する。例えば、コア層１３を構成する材料が活性エネルギー線を照射した領域の屈折率が低下することで屈折率差を生じるような材料である場合には、クラッド部となる領域（光回路１３０およびアライメント用光導波路パターン１３３以外の領域）に活性エネルギー線を照射すれば、光回路１３０およびアライメント用光導波路パターン１３３を一括して製造することができる。
【００７３】
また、製造された光回路１３０およびアライメント用光導波路パターン１３３の位置関係は、光学的な方法によって極めて高精度に決定される。具体的には、１枚の露光用マスクを介して露光することにより、露光用マスクの形状が忠実に反映される。このため、コア層１３に形成される光回路１３０およびアライメント用光導波路パターン１３３は、その位置関係が設計通りのものとなる。
【００７４】
なお、図３（ａ）では、一例として、アライメント用光導波路パターン１３３の中心と、ミラー１３０ａの中心との離間距離が、Ｌであるとする。
【００７５】
このようにして得られたコア層１３を、クラッド層１１およびクラッド層１２で挟んだ状態で圧着する。これにより、クラッド層１１、コア層１３およびクラッド層１２がこの順で接合、一体化され、光導波路フィルム１０が製造される。
【００７６】
なお、クラッド層１１、１２の平均厚さは、コア層１３の平均厚さの０．１〜１．５倍程度であるのが好ましく、０．２〜１．２５倍程度であるのがより好ましく、具体的には、クラッド層１１、１２の平均厚さは、特に限定されないが、それぞれ、通常、１〜２００μｍ程度であるのが好ましく、５〜１００μｍ程度であるのがより好ましく、１０〜６０μｍ程度であるのがさらに好ましい。これにより、光導波路フィルム１０が必要以上に大型化（厚膜化）するのを防止しつつ、クラッド層としての機能が好適に発揮される。
【００７７】
また、クラッド層１１および１２の構成材料としては、例えば、前述したコア層１３の構成材料と同様の材料を用いることができるが、特にノルボルネン系ポリマーが好ましい。
【００７８】
また、コア層１３の構成材料およびクラッド層１１、１２の構成材料を選択する場合、両者の間の屈折率差を考慮して材料を選択すればよい。具体的には、コア層１３とクラッド層１１、１２との境界において光を確実に全反射させるため、コア層１３の構成材料の屈折率が十分に大きくなるように材料を選択すればよい。これにより、光導波路フィルム１０の厚さ方向において十分な屈折率差が得られ、各コア部からクラッド層１１、１２に光が漏れ出るのを抑制することができる。
【００７９】
なお、光の減衰を抑制する観点からは、コア層１３の構成材料とクラッド層１１、１２の構成材料との密着性（親和性）が高いことも重要である。
【００８０】
（電気回路基板）
図３に示す電気回路基板２０は、絶縁基板２２０と、その下面に形成された電気回路２１０とを有するものである。
【００８１】
絶縁基板２２０としては、比較的可撓性の高いフレキシブル基板や、比較的剛性の高いリジッド基板が用いられる。
【００８２】
このうち、フレキシブル基板の具体例としては、ポリエステル銅張フィルム基板、ポリイミド銅張フィルム基板、アラミド銅張フィルム基板等に含まれるフレキシブル絶縁基板が挙げられる。
【００８３】
また、フレキシブル基板の平均厚さは、光電気混載基板１００の可撓性および薄型化の観点から、５〜２００μｍ程度であるのが好ましく、１０〜１００μｍ程度であるのがより好ましい。このような厚さのフレキシブル基板であれば、十分な可撓性および透光性を有するとともに、自重や搭載する各種素子の重量によって意図せず変形してしまうことが防止される。また、光電気混載基板１００の薄型化が図られるとともに、光回路１３０と電気回路２１０との離間距離を十分に短縮し、結合損を抑制することができる。
【００８４】
一方、リジッド基板の具体例としては、ガラス布・エポキシ銅張積層板等のガラス基材銅張積層板、ガラス不織布・エポキシ銅張積層板等のコンポジット銅張積層板、ポリエーテルイミド樹脂基板、ポリエーテルケトン樹脂基板、ポリサルフォン系樹脂基板等の耐熱・熱可塑性基板といった有機系基板や、アルミナ基板、窒化アルミニウム基板、炭化ケイ素基板等に含まれるリジッド絶縁基板が挙げられる。
【００８５】
また、電気回路２１０は、光回路１３０の形状や配置に対応して形成されている。具体的には、電気回路２１０は、発光素子を搭載する発光素子搭載部２１１や、受光素子を搭載する受光素子搭載部２１２を有している。そして、電気回路２１０の形状は、これらの発光素子搭載部２１１や受光素子搭載部２１２が、それぞれ光導波路フィルム１０の光回路１３０を構成するコア部の両端部近傍に位置するようにあらかじめ設計・製造される。これにより、光導波路フィルム１０と電気回路基板２０との位置関係が、あらかじめ意図した位置関係に一致しさえすれば、光回路１３０に設けられたミラー１３０ａの光軸と、発光素子搭載部２１１に搭載される発光素子の発光点および受光素子搭載部２１２に搭載される受光素子の受光点とが高い精度で一致する。その結果、結合損が抑制された光電気混載基板１００が得られることとなる。
【００８６】
なお、上記とは逆に、光回路１３０も、電気回路２１０の形状や配置に対応して形成されている。
【００８７】
また、図３（ａ）では、電気回路基板２０の端面において、発光素子搭載部２１１の中心から外側に向かって離間距離Ｌの箇所に、基準マーク２１３が設けられている。一方、受光素子搭載部２１２の中心から外側に向かって離間距離Ｌの箇所に、基準マーク２１４が設けられている。
【００８８】
なお、図３に示す辺に隣り合う辺にも、２つの基準マーク２１５、２１６が設けられている（図４参照）。
【００８９】
［２］次いで、図３（ｂ）に示すように、光導波路フィルム１０と電気回路基板２０とを重ね合わせ、仮接着体を形成する（第２の工程）。この状態では、光導波路フィルム１０と電気回路基板２０とが接着されていないので、両者をずらすようにして互いの位置を微調整することが可能である。
【００９０】
次いで、この仮接着体中の各アライメント用光導波路パターン１３３の一端に光を入射する。具体的には、図２に示すように、４つのアライメント用光導波路パターン１３３の一端のそれぞれに光源１３３ａを配置し、この光源１３３ａからの光を各アライメント用光導波路パターン１３３に入射する。これにより、アライメント用光導波路パターン１３３の他端から出射した光を検出することで、アライメント用光導波路パターン１３３の他端の位置（出射位置１３３ｂ）を特定することができる。
【００９１】
この出射位置１３３ｂを利用し、まず、図４に示すように、光導波路フィルム１０の辺１０ａについて、出射位置１３３ｂと各基準マーク２１３、２１４とが一致するように、光導波路フィルム１０と電気回路基板２０との位置を微調整する。
【００９２】
また、辺１０ａに隣り合う辺１０ｂについても、辺１０ａと同様、図４に示すように、アライメント用光導波路パターン１３３の他端が露出しており、光の出射位置１３３ｂを特定することができる。したがって、辺１０ｂにおいても、出射位置１３３ｂと各基準マーク２１５、２１６とが一致するように、光導波路フィルム１０と電気回路基板２０との位置を微調整する。
【００９３】
以上のようにして、光導波路フィルム１０の辺１０ａとそれに隣り合う辺１０ｂとについて、各ミラー１３０ａの中心と、発光素子搭載部２１１の中心および受光素子搭載部２１２の中心とを正確に一致させることができる。これにより、光回路１３０と電気回路２１０との結合損を確実に抑制することができる。
【００９４】
なお、図３では、上述したように、各ミラー１３０ａの中心と、発光素子搭載部２１１の中心および受光素子搭載部２１２の中心とを一致させるべく、光導波路フィルム１０と電気回路基板２０との位置合わせを行う例について説明したが、位置合わせの形態はこれに限定されない。例えば、発光素子搭載部２１１に搭載される発光素子の発光点の位置や、受光素子搭載部２１２に搭載される受光素子の受光点の位置によっては、各ミラー１３０ａの非中心点と、発光素子搭載部２１１の非中心点および受光素子搭載部２１２の非中心点とを一致させるべく位置合わせを行うようにしてもよい。すなわち、発光点の位置や受光点の位置に応じて、各ミラー１３０ａ、発光素子搭載部２１１および受光素子搭載部２１２における光軸の位置がいかなる点にあったとしても、本発明の適用には差し支えない。
【００９５】
また、このような方法によれば、平面視において、光導波路フィルム１０における光回路１３０の位置を直接視認できない場合でも、光導波路フィルム１０と電気回路基板２０との位置合わせを確実に行うことができる。このような場合としては、例えば、光導波路フィルム１０を挟んで２枚の電気回路基板２０が積層されている場合等が挙げられる。
【００９６】
なお、出射位置１３３ｂの検出と、それに基づく光導波路フィルム１０と電気回路基板２０との位置合わせは、人為的に行うこともできるが、位置合わせ装置により行うこともできる。
【００９７】
このような位置合わせ装置としては、例えば、出射位置１３３ｂを検出可能な位置検出手段と、光導波路フィルム１０と電気回路基板２０との相対的な位置を調整可能な位置調整手段とを有する装置が挙げられる。
【００９８】
位置検出手段としては、出射光の位置を特定可能なデバイスが挙げられ、例えば、電荷結合素子（ＣＣＤ）、イメージングプレートのような撮像素子等が挙げられる。
【００９９】
一方、位置調整手段としては、例えば、光導波路フィルム１０を吸着した状態で、ＸＹ方向に自在に移動可能な移動手段を備えた装置が挙げられる。
【０１００】
そして、このような位置合わせ装置は、位置検出手段により検出した出射位置１３３ｂに基づいて、電気回路基板２０に対する光導波路フィルム１０の位置ずれ方向と位置ずれ量とを算出し、これに基づいて移動手段に動作指示を与えるといった、位置検出手段と移動手段とを協調制御可能な制御手段を有しているのが好ましい。これにより、効率よく位置合わせを行うことができる。
【０１０１】
また、各アライメント用光導波路パターン１３３は、光回路形成領域１３１の外縁と平行になるよう配設されている。これにより、出射位置１３３ｂと光回路１３０との位置関係が単純になるため、出射位置１３３ｂに基づいた、光回路１３０と電気回路２１０との位置合わせがより容易になる。
【０１０２】
なお、前述したように、図１および図２に示す光回路１３０やアライメント用光導波路パターン１３３を構成するコア部は、平面視で直線状に形成されているが、途中で湾曲、分岐等してもよく、その形状は任意である。
【０１０３】
また、前述したように、図１に示すコア部の横断面形状は、正方形または矩形（長方形）のような四角形をなしているが、その形状も特に限定されない。
【０１０４】
また、これと同様に、各アライメント用光導波路パターン１３３は、光導波路フィルム１０の外縁と平行になるよう配設されている。この場合も、出射位置１３３ｂと光導波路フィルム１０との位置関係が単純になるため、出射位置１３３ｂに基づいた、光回路１３０と電気回路２１０との位置合わせがより容易になる。
【０１０５】
なお、各アライメント用光導波路パターン１３３は、余白部１３２以外の領域に設けられていてもよいが、本実施形態のように余白部１３２に設けられているのが好ましい。これにより、位置合わせが完了した後は、各アライメント用光導波路パターン１３３が不要になるため、余白部１３２を切り落とすことにより、最終的に得られる光電気混載基板１００の小型化を図ることができる。
【０１０６】
また、各アライメント用光導波路パターン１３３は、このような交差部１３３１ｃ〜１３３４ｃで交差しているが、このような交差部を有することにより、交差部を通過する光が分岐するなどして、より多くの地点で出射光を検出することができる。これにより、より高精度での位置合わせが可能になる。
【０１０７】
［３］次に、位置合わせをした光導波路フィルム１０と電気回路基板２０とを接着する（第３の工程）。これにより、図３（ｃ）に示す光電気混載基板１００が得られる。
【０１０８】
なお、光導波路フィルム１０と電気回路基板２０との接着は、熱圧着、接着剤または粘着剤を用いた接着等により行われる。すなわち、仮接着体の状態で光導波路フィルム１０と電気回路基板２０との間に、あらかじめ接着剤等を塗布しておく。そして、本工程では、仮接着体を加熱したり、エネルギー線を照射する等して、接着剤を固化させ、接着を完了する。
【０１０９】
接着剤としては、例えば、アクリル系接着剤、ウレタン系接着剤、シリコーン系接着剤、エポキシ樹脂系接着剤の他、各種ホットメルト接着剤（ポリエステル系、変性オレフィン系）等が挙げられる。また、特に耐熱性の高いものとして、ポリイミド、ポリイミドアミド、ポリイミドアミドエーテル、ポリエステルイミド、ポリイミドエーテル等の熱可塑性ポリイミド接着剤が好ましく用いられる。このような材料で構成された接着層は、比較的柔軟性に富んでいるため、光電気混載基板１００の形状が変化したとしても、その変化に自在に追従することができる。その結果、形状変化に伴う剥離を確実に防止し得るものとなる。
【０１１０】
このような接着層の平均厚さは、特に限定されないが、１〜１００μｍ程度であるのが好ましく、５〜６０μｍ程度であるのがより好ましい。
【０１１１】
なお、クラッド層１１が接着性を有している場合には、それを利用して光導波路フィルム１０と電気回路基板２０とを直接貼り合わせることも可能である。この場合、接着剤や粘着剤等は不要である。
以上のようにして、信頼性の高い光電気混載基板１００が得られる。
【０１１２】
また、上記のような光電気混載基板１００の製造方法によれば、光回路１３０を備える光導波路フィルム１０と、電気回路２１０を備える電気回路基板２０とを、個別に製造し、その後これらを積層する場合でも、両者を高精度に積層することが可能になる。
【０１１３】
従来では、光導波路フィルムと電気回路基板とを簡単にかつ高精度に位置合わせする方法が確立されていなかったため、あらかじめ電気回路基板（または電気回路の設計図）を用意し、その電気回路のパターンに応じて光回路を形成するという製造順序にならざるを得なかった。このため、光回路を形成する際のフォトリソグラフィー処理やエッチング処理において、電気回路が断線する等の不具合をもたらし、製造歩留まりが低下する等の問題があった。
【０１１４】
これに対し、本発明によれば、このような製造工程における制限が少ないため、光導波路フィルム１０と電気回路基板２０とをあらかじめ作製しておくことができる。すなわち、各々を製造した後であっても、高精度で位置合わせを行うことができるため、製造工程の自由度を高めることができる。このため、各種処理によって電気回路や光回路が損傷を受けるおそれがなく、製造歩留まりの低下を防止することができる。
【０１１５】
また、特に、光導波路フィルムを挟んで２枚の電気回路基板を積層するような場合、光導波路フィルムにおける光回路を直接視認できないため、目視による位置合わせが不可能になってしまう。
【０１１６】
これに対し、光導波路フィルム１０は、その端面において位置合わせの基準となる出射位置１３３ｂを検出し得る構造になっているため、平面視で光回路を直接視認できない場合でも、高い精度で位置合わせを行うことができる。
【０１１７】
なお、光電気混載基板１００の製造後は、アライメント用光導波路パターン１３３は特に利用されることはないものの、光回路１３０の光学特性（例えば、減衰率、屈折率差、製造時の異常の有無等）を間接的に示すことのできる性能指標および製造履歴としての機能を有するものとなる。これは、アライメント用光導波路パターン１３３が光回路１３０と同一の工程を経て形成された場合には特に、アライメント用光導波路パターン１３３の光学特性の測定結果を、光回路１３０の光学特性としてみなすことができるからである。したがって、アライメント用光導波路パターン１３３に光を入射して、光導波路フィルム１０と電気回路基板２０との位置合わせをするのと同時に、出射光の光学特性を測定することにより、間接的に、光回路１３０の光学特性を測定することが可能になる。
【０１１８】
よって、光導波路フィルム１０を用いることにより、本来は光電気混載基板１００について破壊試験をしなければ測定できなかった光回路１３０の光学特性を、非破壊的に測定することができる。これにより、光導波路フィルム１０は、光回路１３０の光学特性を事後的に非破壊的に測定し得るものである。
【０１１９】
このようにして製造された光電気混載基板１００には、光回路１３０や電気回路２１０の他に、図示しない発光素子、受光素子、ＩＣ（integrated circuit）等の電子部品や、外部との接続を担う端子等も設けられている。電気回路２１０は、これらの電子部品間や、電子部品と端子との間を電気的に接続している。これにより、電気回路２１０を介して各電子部品に電力を供給したり、電子部品間で電気信号の授受を行う。
【０１２０】
また、発光素子では、電気信号を光信号に変換して光回路１３０に入射し、受光素子では、光回路１３０により伝送された光信号を受光して電気信号に変換する。このように電気信号と光信号の相互変換を行うことにより、電気回路の一部を光回路１３０で代替することができ、その結果、光電気混載基板１００は、高速かつ低ノイズでの信号処理を可能にする。
【０１２１】
このような光電気混載基板１００は、光回路１３０の部分で、電気回路２１０よりも高速かつ大容量の情報伝送を可能にする。したがって、例えばＣＰＵやＬＳＩ等の演算装置とＲＡＭ等の記憶装置との間をつなぐバス等に、この光電気混載基板１００を適用することにより、システム全体の性能を高めるとともに、電磁ノイズの発生を抑制することができる。
【０１２２】
（光導波路層の他の構成例）
図５、６には、図２に示す本発明の光導波路層の他の構成例を示す。なお、以下の説明では、図５、６中の上方を「上」、下方を「下」、右方を「右」、左方を「左」と言う。また、図５、６では、光回路１３０を構成するコア部およびアライメント用光導波路パターン１３３を構成するコア部に、ドットを付している。
【０１２３】
図５に示す光導波路フィルム１０’（本発明の光導波路層）は、各アライメント用光導波路パターン１３３の交差部１３３１ｃに設けられたミラー１４１を有している以外は、図２に示す光導波路フィルム１０と同様である。
【０１２４】
このミラー１４１は、ミラー面の法線が光導波路フィルム１０’の左上の角部と右下の角部とを結ぶ対角線に平行になるよう設けられている。また、このミラー１４１は、ハーフミラーになっており、ミラー１４１に照射された光の一部を透過するとともに、一部を反射するよう構成されている。
【０１２５】
また、図５に示す光導波路フィルム１０’は、各アライメント用光導波路パターン１３３の交差部１３３２ｃに設けられたミラー１４２を有している。このミラー１４２は、ミラー面の法線が光導波路フィルム１０’の右上の角部と左下の角部とを結ぶ対角線に平行になるよう設けられている。また、このミラー１４２は、ハーフミラーになっており、ミラー１４２に照射された光の一部を透過するとともに、一部を反射するよう構成されている。
【０１２６】
さらに、図５に示す光導波路フィルム１０’は、各アライメント用光導波路パターン１３３の交差部１３３４ｃに設けられたミラー１４４を有している。このミラー１４４は、ミラー面の法線が光導波路フィルム１０’の右上の角部と左下の角部とを結ぶ対角線に平行になるよう設けられている。また、このミラー１４４は、ハーフミラーになっており、ミラー１４４に照射された光の一部を透過するとともに、一部を反射するよう構成されている。
【０１２７】
このような光導波路フィルム１０’では、アライメント用光導波路パターン１３３１の左端に光源１３３ａから光を入射すると、各ミラー１４１、１４２、１４４において光の透過および光の反射が生じる。その結果、アライメント用光導波路パターン１３３１の右端、アライメント用光導波路パターン１３３３の右端、アライメント用光導波路パターン１３３２の下端、およびアライメント用光導波路パターン１３３４の下端から光が出射する。すなわち、光導波路フィルム１０’では、光源１３３ａを１つ用意して、１箇所から光を入射しさえすれば、４箇所からの出射光を位置合わせの基準として利用することができる。その結果、光導波路フィルム１０’を用いることにより、電気回路基板２０との位置合わせにおいて、より簡単な構成でも、多数（２箇所以上）の出射位置を利用した高精度の位置合わせが可能になる。
【０１２８】
ここで、図５に示す各ミラー１４１、１４２、１４４は、平面視において、ミラー面を長辺とする長方形をなしている。
【０１２９】
この長方形の内側の領域は、各アライメント用光導波路パターン１３３を構成するコア部の屈折率よりも屈折率が小さい材料、または、コア部の反射率よりも反射率が高い材料で構成されていればよい。この材料は、具体的には、アルミニウム、金、銀、銅等の金属であるのが好ましく、その他、空洞（空気層）であってもよい。
【０１３０】
なお、空洞である場合、この空洞は、コア層１３の成膜後、レーザー加工法等により、コア層１３に孔を開けることで形成することができる。
【０１３１】
また、ハーフミラーにおける透過率と反射率との兼ね合いは、金属材料等の反射材料で構成された各ミラー１４１、１４２、１４４の厚さを適宜設定することにより調整することができる。これにより、それぞれの出射端で検出される出射光の光量を調整することができる。
【０１３２】
図６に示す光導波路フィルム１０”は、その上下を二分するように配設されたアライメント用光導波路パターン１３３５と、アライメント用光導波路パターン１３３５の途中に設けられた分岐部１３３６ｄから下方に分岐したアライメント用光導波路パターン１３３６と、アライメント用光導波路パターン１３３５の途中に設けられた分岐部１３３７ｄから上方に分岐したアライメント用光導波路パターン１３３７とを有している。
【０１３３】
また、図６に示す光導波路フィルム１０”（本発明の光導波路層）は、各アライメント用光導波路パターン１３３の分岐部１３３６ｄに設けられたミラー１４６を有している。このミラー１４６は、ミラー面の法線が光導波路フィルム１０”の右上の角部と左下の角部とを結ぶ対角線に平行になるよう設けられている。また、このミラー１４６は、ハーフミラーになっており、ミラー１４６に照射された光の一部を透過するとともに、一部を反射するよう構成されている。
【０１３４】
さらに、図６に示す光導波路フィルム１０”は、各アライメント用光導波路パターン１３３の分岐部１３３７ｄに設けられたミラー１４７を有している。このミラー１４７は、ミラー面の法線が光導波路フィルム１０”の左上の角部と右下の角部とを結ぶ対角線に平行になるよう設けられている。また、このミラー１４７は、ハーフミラーになっており、ミラー１４７に照射された光の一部を透過するとともに、一部を反射するよう構成されている。
【０１３５】
このような光導波路フィルム１０”では、アライメント用光導波路パターン１３３５の左端に光源１３３ａから光を入射すると、各ミラー１４６、１４７において光の透過および光の反射が生じる。その結果、アライメント用光導波路パターン１３３５の右端、アライメント用光導波路パターン１３３６の下端、およびアライメント用光導波路パターン１３３７の上端から光が出射する。すなわち、光導波路フィルム１０”では、光源１３３ａを１つ用意して、１箇所から光を入射しさえすれば、３箇所（２箇所以上）からの出射光を位置合わせの基準として利用することができる。その結果、光導波路フィルム１０”を用いることにより、電気回路基板２０との位置合わせにおいて、より簡単な構成でも、多数の出射位置を利用した高精度の位置合わせが可能になる。
【０１３６】
ここで、図６に示す各ミラー１４６、１４７は、前述した各ミラー１４１、１４２、１４４と同様の構成である。
【０１３７】
以上のような光導波路フィルム１０’、１０”によっても、光導波路フィルム１０を用いた場合と同様、信頼性の高い光電気混載基板の製造が可能になる。
【０１３８】
なお、図６に示す各アライメント用光導波路パターン１３３は、分岐部１３３６ｄ、１３３７ｄで分岐しているが、仮にミラー１４６、１４７を省略したとしても、このような分岐部を有することにより、分岐部を通過する光がわずかながら分岐する。これにより、各ミラー１４６、１４７を設けた場合と同様、より高精度での位置合わせが可能になる。
【０１３９】
また、各ミラー１４１、１４２、１４４、１４６、１４７は、それぞれ下記の構成のミラーで代替可能である。
【０１４０】
図７に示すミラー１４１’は、上記各ミラーのうち、ミラー１４１を別の構成のミラーで代替した例を示す平面図である。
【０１４１】
前述したミラー１４１の長さが交差部１３３１ｃの対角線の長さとほぼ同等であるのに対し、図７に示すミラー１４１’は、その長さが交差部１３３１ｃの対角線の長さの半分になっている。すなわち、交差部１３３１ｃの対角線の長さをＬ１としたとき、ミラー１４１’の長さＬ２は、Ｌ２＝（１／２）Ｌ１を満足する。このように長さＬ２が長さＬ１の半分である場合、ミラー１４１’は、交差部１３３１ｃを通過する光の横断面積の半分を反射するよう機能するため、ミラー１４１’は、実質的に反射率５０％のハーフミラーとして機能する。したがって、ミラー１４１’は、ミラー１４１と同等の機能を有するものであり、ミラー１４１をミラー１４１’で代替した場合でも、ミラー１４１と同様の効果を奏し得る。
【０１４２】
なお、ミラー１４１’は、それ自体（構成材料）がミラー１４１と同様のハーフミラーであってもよいが、反射率が１００％に近い単なるミラーであってもよい。
【０１４３】
また、後者の場合、このようなミラー１４１’における透過率と反射率との兼ね合いは、ミラー１４１’の長さＬ２を適宜設定することにより簡単に調整することができる。具体的には、ミラー１４１’の反射率は、前記式のＬ１の係数と同等であるため、例えばその係数を１／３に設定した場合、ミラー１４１’の反射率を約３３％とすることができる。この係数の範囲は、特に限定されないが、１／５〜４／５程度とするのが好ましい。
【０１４４】
また、本実施形態では、光回路１３０とアライメント用光導波路パターン１３３とがそれぞれ独立している場合について説明したが、本発明はかかる構成に限定されず、アライメント用光導波路パターン１３３の一部が、光回路１３０であってもよい。
【０１４５】
すなわち、光回路１３０に設けられたミラー１３０ａ（図３参照）と同様のミラーが、図５に示すアライメント用光導波路パターン１３３の途中に設けられていてもよい。これにより、アライメント用光導波路パターン１３３は、前述したアライメント用の光を伝搬する機能に加え、光信号を伝搬する光回路１３０と同等の機能をも併せ持つものとなる。その結果、光回路１３０の本数を実質的に増やすことになり、光電気混載基板１００のスペースの有効利用が可能になる。
【０１４６】
なお、この場合、アライメント用光導波路パターン１３３の途中に設けられるミラーには、ハーフミラーのように、光量の一部を透過し、一部を反射するミラーが好ましく用いられる。
【０１４７】
また反対に、本実施形態のように、光回路１３０とアライメント用光導波路パターン１３３とが互いに独立している（平面視において分離している）場合には、アライメント用光導波路パターン１３３の途中に、ミラー１３０ａと同様のミラー（光導波路フィルム１０内を伝搬する光の進行方向を、光導波路フィルム１０の法線方向に変更するミラー）を設ける必要がなくなる。このため、アライメント用光導波路パターン１３３の製造工程が簡略化される。また、光回路１３０およびアライメント用光導波路パターン１３３の製造条件を、それぞれの機能に応じて最適化することができるので、それぞれの目的とする光学特性を高め得る点で有利である。
【０１４８】
＜第２実施形態＞
次に、本発明の光電気混載基板の製造方法の第２実施形態について説明する。
【０１４９】
図８は、本発明の光電気混載基板の製造方法の第２実施形態を説明するための側面図である。
【０１５０】
以下、第２実施形態について説明するが、前記第１実施形態との相違点を中心に説明し、同様の事項については、その説明を省略する。なお、図８において、第１実施形態と同様の構成部分については、先に説明した図３、４と同様の符号を付している。
【０１５１】
本実施形態の光電気混載基板の製造方法は、光回路の形成後に、電気回路を形成するようにした以外は、前記第１実施形態と同様である。
【０１５２】
本実施形態の光電気混載基板の製造方法は、光回路１３０を備える光導波路フィルム１０と、一方の面全体が導電層３００で覆われてなる導電層付き基板３０とを用意する第１の工程と、光導波路フィルム１０と導電層付き基板３０とを貼り合わせる第２の工程と、導電層３００を加工して電気回路３１０を形成して光電気混載基板１００’を得る第３の工程とを有する。
【０１５３】
以下、各工程について順次説明する。
［１］まず、光回路１３０を備える光導波路フィルム（本発明の光導波路層）１０と、一方の面全体が導電層３００で覆われてなる２枚の導電層付き基板３０とを用意する（第１の工程）。
【０１５４】
（導電層付き基板）
図８に示す２枚の導電層付き基板３０は、それぞれ、絶縁基板３２０と、その一方の面全体を覆うように設けられた導電層３００とを有するものである。
絶縁基板３２０は、第１実施形態における絶縁基板２２０と同様のものである。
【０１５５】
一方、導電層３００は、パターニングにより電気回路を形成可能な導電性材料で構成された層である。
【０１５６】
かかる導電性材料としては、例えば、銅、アルミニウム、銀、またはこれらを含む合金等が挙げられる。
【０１５７】
［２］次いで、図８（ａ）に示すように、光導波路フィルム１０を挟んで、２枚の導電層付き基板３０を貼り合わせる（第２の工程）。この際には、各導電層３００がそれぞれ光導波路フィルム１０と反対側に位置するように、２枚の導電層付き基板３０を貼り合わせる。これにより、図８（ｂ）に示すように、両面に導電層３００を備えた導電層付き光回路内蔵基板４０（本発明の光導波路構造体）が得られる。
【０１５８】
なお、この貼り合わせは、第１実施形態と同様、熱圧着、接着剤または粘着剤を用いた接着等により行われる。
【０１５９】
また、クラッド層１１、１２が接着性を有している場合には、それを利用して光導波路フィルム１０と２枚の導電層付き基板３０とを直接貼り合わせることも可能である。この場合、接着剤や粘着剤等は不要である。
【０１６０】
［３］次に、導電層付き光回路内蔵基板４０の両面に設けられた導電層３００に対して、パターニングを施す。これにより電気回路３１０を形成する（第３の工程）。
【０１６１】
ここで、電気回路３１０は、光回路１３０の位置に基づいて形成される必要があるため、導電層３００に対するパターニングは、光回路１３０の位置を事前に把握した上で開始する必要がある。
【０１６２】
しかしながら、従来では、導電層付き光回路内蔵基板において、内蔵されている光回路の位置を外部から把握することは不可能であった。その理由は、導電層付き光回路内蔵基板は、光回路を含む光導波路フィルムを挟むように、２枚の導電層付き基板を貼り合わせたものであるからに他ならない。すなわち、導電層付き基板は、一方の面全体を覆うように導電層が形成されているため不透明であり、導電層付き光回路内蔵基板において光回路を外部から視認することはできないものであるためである。
【０１６３】
以上のような理由から、従来では、パターニングの基準点を、導電層付き光回路内蔵基板の外縁に設定したり、あるいは、端面等に設けた基準マーク等に設定していた。
【０１６４】
ところが、従来の方法では、導電層付き光回路内蔵基板の外縁や基準マークと、内蔵されている光回路との位置関係が不変であるという前提に依存していたため、この位置関係が熱膨張等の影響で崩れるおそれがあった。位置関係が崩れた場合、最終的に、光回路の位置と電気回路の位置とがずれてしまうおそれがあった。
【０１６５】
これに対し、本発明によれば、導電層３００に対してパターニングを施す際の開始位置を決める基準として、光導波路フィルム１０が有するアライメント用光導波路パターン１３３を利用することが可能である。
【０１６６】
すなわち、本実施形態では、導電層３００に対して、例えばフォトリソグラフィー処理およびエッチング処理によりパターニングを行う際、具体的には、フォトリソグラフィー処理において用いる露光用マスクと、導電層付き光回路内蔵基板４０との位置合わせを行う際に、アライメント用光導波路パターン１３３から出射する光の出射位置を位置合わせの基準として利用する。
【０１６７】
このような方法によれば、導電層付き光回路内蔵基板４０において、光導波路フィルム１０を直接視認できなくても、光回路１３０の位置を間接的であっても正確に把握することができる。このため、光回路１３０の推定位置に基づいて、露光用マスクの位置合わせを行い、電気回路３１０を簡単に形成することができる。その結果、光回路１３０と電気回路３１０との結合損を確実に抑制することができる。
【０１６８】
また、上記の方法によれば、光回路１３０とアライメント用光導波路パターン１３３とが、同一の層内に同一の構成で形成されたものであるため、互いの位置関係は熱膨張等の影響を受け難い。このため、アライメント用光導波路パターン１３３は、導電層３００に対するパターニングの開始位置を正確に導き出すための基準として好ましく用いられる。
【０１６９】
以上のような第２実施形態においても、第１実施形態と同様の作用・効果が得られる。
なお、本実施形態では、電気回路３１０の形成に際し、フォトリソグラフィー処理およびエッチング処理を施すが、光回路１３０を含む光導波路フィルム１０が、２枚の導電層付き基板３０で挟まれているため、光回路１３０が導電層付き基板３０で保護されることとなり、前記処理による光回路１３０の変質・劣化が防止される。
このようにして、簡単に光電気混載基板１００’を得ることができる。
【０１７０】
［電子機器］
上述したような光電気混載基板１００、１００’は、例えば、携帯電話、ゲーム機、パソコン、テレビ、ホーム・サーバー等、大容量のデータを高速に伝送する電子機器類に搭載することが考えられる。このように光電気混載基板１００、１００’（本発明の光電気混載基板）を備えた電子機器（本発明の電子機器）は、内部の情報処理速度に優れた高い性能を発揮し得るものとなる。
【０１７１】
以上、本発明の光導波路層、光導波路構造体、光電気混載基板の製造方法、光電気混載基板および電子機器の実施形態について説明したが、本発明は、これに限定されるものではなく、例えば光導波路層、光導波路構造体、光電気混載基板および電子機器を構成する各部は、同様の機能を発揮し得る任意の構成のものと置換することができる。また、任意の構成物が付加されていてもよい。
【０１７２】
例えば、前記各実施形態において、本発明の光導波路層、光導波路構造体および光電気混載基板は、平面視において、正方形以外の形状、例えば長方形、円形、長円形、多角形等の形状であってもよい。
【０１７３】
また、前記各実施形態において、電気回路基板に設けられた基準マークは省略してもよく、電気回路基板の端部やその他の部分を基準として位置合わせをするようにしてもよい。
【符号の説明】
【０１７４】
１０、１０’、１０”              光導波路フィルム
１０ａ、１０ｂ                    辺
１１、１２                        クラッド層
１３                              コア層
１３０                            光回路
１３０ａ                          ミラー
１３１                            光回路形成領域
１３２                            余白部
１３３、１３３１〜１３３７        アライメント用光導波路パターン
１３３ａ                          光源
１３３ｂ                          出射位置
１３３１ｃ〜１３３４ｃ            交差部
１３３６ｄ、１３３７ｄ            分岐部
１４１、１４１’、１４２、１４４、１４６、１４７  ミラー
２０                              電気回路基板
２１０                            電気回路
２１１                            発光素子搭載部
２１２                            受光素子搭載部
２１３〜２１６                    基準マーク
２２０                            絶縁基板
３０                              導電層付き基板
３００                            導電層
３１０                            電気回路
３２０                            絶縁基板
４０                              導電層付き光回路内蔵基板
１００、１００’                  光電気混載基板
【図１】
0005444918.tif 000002
【図２】
0005444918.tif 000003
【図３】
0005444918.tif 000004
【図４】
0005444918.tif 000005
【図５】
0005444918.tif 000006
【図６】
0005444918.tif 000007
【図７】
0005444918.tif 000008
【図８】
0005444918.tif 000009